(57)【特許請求の範囲】
【請求項１】
一本のフィラメントを用い、このフィラメントにて所定間隔をもって複数のループを形成すると共に、該各ループが収束しないよう各ループの基端部に結び目を形成することにより、該ループを自毛に結び付ける止着部とし、少なくとも各止着部間のフィラメントに多数の増毛用毛髪を取り付けて成り、
上記ループが、一列に並んで立設されている複数の支持ピンに上記フィラメントを巻回することにより形成されることを特徴とする、ループ状止着部を有する増毛部材。
【請求項２】
前記一本のフィラメントの表面が粗面化されていることを特徴とする、請求項１に記載のループ状止着部を有する増毛部材。
【請求項３】
前記一本のフィラメントが伸縮性を有する細糸で成ることを特徴とする、請求項１又は２に記載のループ状止着部を有する増毛部材。
【請求項４】
前記結び目が、第１の固い結び目とさらにこの上に形成した第２の固い結び目とで成ることを特徴とする、請求項１に記載のループ状止着部を有する増毛部材。
【請求項５】
前記ループ間のフィラメントに取り付けた増毛用毛髪が、該フィラメントに対して回動可能であることを特徴とする、請求項１に記載のループ状止着部を有する増毛部材。
【請求項６】
前記増毛用毛髪が、前記ループに取り付けられていることを特徴とする、請求項１に記載のループ状止着部を有する増毛部材。
【請求項７】
一本のフィラメントを用い、このフィラメントの一方側と他方側を交差させて緩い結び目を作った後、一列に並んで立設されている複数の支持ピンのうち、第１の支持ピンに上記フィラメントの他方側を巻回することによりループを形成し、次いで、該他方側を上記緩い結び目に通して収束することにより固い結び目を形成し、続いて、上記フィラメントの他方側とさらに下手側とで上記手順にて順次各段の支持ピンを用いて複数のループと結び目とを形成した後、該フィラメントを各支持ピンから取り外すことにより、収束しない複数のループ及び結び目で成る複数の止着部を形成し、最後に、多数の増毛用毛髪を少なくとも各止着部間のフィラメントに取り付けるようにしたことを特徴とする、ループ状止着部を有する増毛部材の作製方法。
【請求項８】
一本のフィラメントを用い、このフィラメントの一方側と他方側を交差させて緩い結び目を作った後、一列に並んで立設されている複数の支持ピンのうち、第１の支持ピンに上記フィラメントの他方側を巻回することによりループを形成し、次いで、該他方側を上記緩い結び目に通して収束することにより固い結び目を形成し、続いて、上記フィラメントの他方側とさらに下手側とで上記手順にて順次各段の支持ピンを用いて複数のループと結び目とを形成した後、多数の増毛用毛髪を少なくとも各止着部間のフィラメントに取り付け、最後に該フィラメントを各支持ピンから取り外すことにより、収束しない複数のループ及び結び目で成る複数の止着部を形成するようにしたことを特徴とする、ループ状止着部を有する増毛部材の作製方法。
【請求項９】
一本のフィラメントを用い、このフィラメントの一方側と他方側を交差させて第１の緩い結び目を作った後、一列に並んで立設されている複数の支持ピンのうち、第１の支持ピンに上記フィラメントの他方側を巻回することによりループを形成し、次いで、該他方側を上記第１の緩い結び目に通して収束することにより第１の固い結び目を形成し、さらに、フィラメントの上記一方側を他方側と交差させて第２の緩い結び目を作り、該第２の緩い結び目を収束することにより第２の固い結び目を形成し、続いて、上記フィラメントの他方側とさらに下手側とで上記手順にて順次各段の支持ピンを用いて複数のループと結び目とを形成した後、該フィラメントを各支持ピンから取り外すことにより、収束しない複数のループ及び結び目で成る複数の止着部を形成し、最後に、多数の増毛用毛髪を少なくとも各止着部間のフィラメントに取り付けるようにしたことを特徴とする、ループ状止着部を有する増毛部材の作製方法。
【請求項１０】
一本のフィラメントを用い、このフィラメントの一方側と他方側を交差させて第１の緩い結び目を作った後、一列に並んで立設されている複数の支持ピンのうち、第１の支持ピンに上記フィラメントの他方側を巻回することによりループを形成し、次いで、該他方側を上記第１の緩い結び目に通して収束することにより第１の固い結び目を形成し、さらに、フィラメントの上記一方側を他方側と交差させて第２の緩い結び目を作り、該第２の緩い結び目を収束することにより第２の固い結び目を形成し、続いて、上記フィラメントの他方側とさらに下手側とで上記手順にて順次各段の支持ピンを用いて複数のループと結び目とを形成した後、多数の増毛用毛髪を少なくとも各止着部間のフィラメントに取り付け、最後に該フィラメントを各支持ピンから取り外すことにより、収束しない複数のループ及び結び目で成る複数の止着部を形成するようにしたことを特徴とする、ループ状止着部を有する増毛部材の作製方法。
【請求項１１】
前記第１の支持ピンに前記フィラメントの他方側を巻回することにより形成したループを、該フィラメントの溶融温度より低温で加熱することにより形状固定処理を行うことを特徴とする、請求項７乃至１０の何れかに記載のループ状止着部を有する増毛部材の作製方法。
【請求項１２】
前記フィラメントの複数のループ及び結び目に対し、該フィラメントの溶融温度より低温で加熱することにより形状固定処理を行うことを特徴とする、請求項７乃至１０の何れかに記載のループ状止着部を有する増毛部材の作製方法。
【請求項１３】
前記第２の緩い結び目を形成した後で、前記フィラメントの他方側をさらに一回以上該第２の緩い結び目に巻回し、これを収束することにより前記第２の固い結び目を形成するようにしたことを特徴とする、請求項９又は１０に記載のループ状止着部を有する増毛部材の作製方法。
【発明の詳細な説明】
【０００１】
【発明の属する技術分野】
この発明は、脱毛の初期段階である薄毛の状態で、或いはファッション性を向上させるために使用される増毛部材及びその作製方法に関するものである。
【０００２】
【従来の技術】
この種の増毛部材は、図１３に示すように１本のフィラメント１が用いられ、このフィラメント１に対して垂直方向に伸びるように増毛用毛髪２が取り付けられている。この増毛部材では、図１４に示すように自毛３とフィラメント１に取り付けた増毛用毛髪２との間に接着剤５を塗布して頭部４に固定するようにし、具体的には一本の自毛３の毛根部側方に一本又は二本の増毛用毛髪２を接着することにより、頭皮６に接着剤５が付着しないようにしている。
【０００３】
【発明が解決しようとする課題】
しかしながら、接着剤５を頭皮６に付着しないように塗布することは技術的に困難で、また、頭部４への固定強度の観点から見ても、数回の洗髪、ブラッシングや強風等を受けることにより、頭部４から比較的に簡単に外れてしまうという課題を有するものであった。また、フィラメント１に取り付けられた増毛用毛髪２はブラッシング等により一方向に毛分かれが生じて、外部からフィラメント１が視認され易いという課題もあった。
【０００４】
そこで図１５に示すように、１本のフィラメント１に金属製のリング体７を一定の間隔を保って結び付け、このフィラメント１にすだれ状に増毛用毛髪２を植毛するようにした増毛部材も提案されている（特開平２−２６４００６号公報参照）。この増毛部材を頭部に固着するには、金属製のリング体７に自毛（図示せず）を通して結び付けることにより固定するようにしている。
しかし、この増毛部材を形成する場合、別部材である金属製のリング体７を一定間隔を保ってフィラメント１に結び付ける作業を要するので、作業性が悪く、さらにリング体７は金属製であるため、多少の負荷が加わっても形状変形が起こり難いので、装着後にブラッシングをすると、まともに金属のリング体７が引っ張られ、これに結び付けられた自毛が切れやすいという問題がある。さらに、金属製のリング体７は黒又は頭皮と同じ色に塗装されているが、汗、シャンプー等により塗装が剥がれやすく金属光沢により外部から視認され易いこと及び金属のために寒暖の変化に敏感で、装着時の不快感或いは剛性による違和感を与え易いという問題もあった。
【０００５】
本発明は上記の点に鑑み、増毛部材を形成する際の作業性を改善すると共に、増毛部材の頭部への固定を確実なものとし、且つ外部から視認され難い増毛部材及びその作製方法を提供することを目的とする。
【０００６】
【課題を解決するための手段】
上記目的を達成するため、請求項１に記載の本発明によるループ状止着部を有する増毛部材は、一本のフィラメントを用い、このフィラメントにて所定間隔をもって複数のループを形成すると共に、該各ループが収束しないよう各ループの基端部に結び目を形成することにより、ループを自毛に結び付ける止着部とし、少なくとも各止着部間のフィラメントに多数の増毛用毛髪を取り付けて成り、ループが一列に並んで立設されている複数の支持ピンにフィラメントを巻回することにより形成されることを特徴としている。
このフィラメントは、表面が粗面化されており、又は伸縮性を有する細糸で成っていてもよい。
前記結び目は、好ましくは第１の固い結び目と、さらにこの上に形成した第２の固い結び目とで成り、これらが緩まないよう堅固な結び目を形成している。
前記ループ間のフィラメントに取り付けた増毛用毛髪は、フィラメントに対して回動し得るようにしてもよい。
前記増毛用毛髪は、ループ間のフィラメントのみならず、好ましくは前記止着部としてのループにも取り付けられている。
また、請求項７に記載のループ状止着部を有する増毛部材の作製方法は、一本のフィラメントを用い、このフィラメントの一方側と他方側を交差させて緩い結び目を作った後、一列に並んで立設されている複数の支持ピンのうち、第１の支持ピンに上記フィラメントの他方側を巻回することによりループを形成し、次いで、上記他方側を上記緩い結び目に通して収束することにより固い結び目を形成し、続いて、上記フィラメントの他方側とさらに下手側とで上記手順にて順次各段の支持ピンを用いて複数のループと結び目とを形成した後、該フィラメントを各支持ピンから取り外すことにより、収束しない複数のループ及び結び目で成る複数の止着部を形成し、最後に、多数の増毛用毛髪を少なくとも各止着部間のフィラメントに取り付けるようにしたことを特徴とする。
さらに、請求項８に記載のループ状止着部を有する増毛部材の作製方法では、一本のフィラメントを用い、このフィラメントの一方側と他方側を交差させて緩い結び目を作った後、一列に並んで立設されている複数の支持ピンのうち、第１の支持ピンに上記フィラメントの他方側を巻回することによりループを形成し、次いで、該他方側を上記緩い結び目に通して収束することにより固い結び目を形成し、続いて、上記フィラメントの他方側とさらに下手側とで上記手順にて第２以降の支持ピンを用いて順次複数のループと結び目とを形成した後、多数の増毛用毛髪を少なくとも各止着部間のフィラメントに取り付け、最後に該フィラメントを各支持ピンから取り外すことにより、収束しない複数のループ及び結び目で成る複数の止着部を形成するようにしたことを特徴とする。
また、請求項９に記載のループ状止着部を有する増毛部材の作製方法は、一本のフィラメントを用い、このフィラメントの一方側と他方側を交差させて第１の緩い結び目を作った後、一列に並んで立設されている複数の支持ピンのうち、第１の支持ピンに上記フィラメントの他方側を巻回することによりループを形成し、次いで、該他方側を上記第１の緩い結び目に通して収束することにより第１の固い結び目を形成し、さらに、フィラメントの上記一方側を他方側と交差させて第２の緩い結び目を作り、該第２の緩い結び目を収束することにより第２の固い結び目を形成し、続いて、上記フィラメントの他方側とさらに下手側とで上記手順にて順次各段の支持ピンを用いて複数のループと結び目とを形成した後、該フィラメントを各支持ピンから取り外すことにより、収束しない複数のループ及び結び目で成る複数の止着部を形成し、最後に、多数の増毛用毛髪を少なくとも各止着部間のフィラメントに取り付けるようにしたことを特徴とする。
そして、請求項１０に記載のループ状止着部を有する増毛部材の作製方法では、一本のフィラメントを用い、このフィラメントの一方側と他方側を交差させて第１の緩い結び目を作った後、一列に並んで立設されている複数の支持ピンのうち、第１の支持ピンに上記フィラメントの他方側を巻回することによりループを形成し、次いで、該他方側を上記第１の緩い結び目に通して収束することにより第１の固い結び目を形成し、さらに、フィラメントの上記一方側を他方側と交差させて第２の緩い結び目を作り、該第２の緩い結び目を収束することにより第２の固い結び目を形成し、続いて、上記フィラメントの他方側とさらに下手側とで上記手順にて第２以降の支持ピンを用いて順次複数のループと結び目とを形成した後、多数の増毛用毛髪を少なくとも各止着部間のフィラメントに取り付け、最後に該フィラメントを各支持ピンから取り外すことにより、収束しない複数のループ及び結び目で成る複数の止着部を形成するようにしたことを特徴とする。
請求項７乃至１０に記載の増毛部材の作製方法において、前記ループ及び結び目に対し、前記第１の支持ピンに前記フィラメントの他方側を巻回した状態で該フィラメントの溶融温度より低温で加熱することにより形状固定処理を行うようにしてもよい。
また、請求項９又は１０に記載の増毛部材の作製方法において、前記結び目は、前記第２の緩い結び目を形成した後で、前記フィラメントの他方側をさらに一回以上該第２の緩い結び目に巻回し、これを収束することにより前記第２の固い結び目を形成するようにしてもよい。
【０００７】
上記構成により、一本のフィラメントを使用し、結び目と収束することのない複数のループをこのフィラメントで作製することができ、この複数のループに自毛を通して結ぶことにより、増毛作業が簡単に行える。またフィラメントに取り付けた増毛用毛髪は、一定間隔で設けられているループが堰の役目を果たすことで横方向のずれが規制される。さらに、フィラメントに伸縮性を有する素材を使用すれば、ブラッシングによって増毛部材が過度に引っ張られた時でも、ループに結ばれている自毛が切れるのを防ぐことができる。また、上記結び目を二重或いはそれ以上で形成することにより、長期間にわたって緩みやループの収束が生じない。なお、フィラメントに取り付けられた増毛用毛髪をこのフィラメントの回りで回動可能とすれば、自毛とのミックスが容易となる。
【０００８】
したがって、増毛部材の作製に当たり作業性が改善されると共に、増毛部材の頭部への固定を確実なものとすることができ、毛分かれ等を防いで外部から視認され難くすることができる。
【０００９】
【発明の実施の形態】
以下、図面に基づき、本発明による増毛部材及びその作製方法の好適な実施の形態を説明する。図１乃至図１０は本発明に係る増毛部材１０を作製する手順を示している。
最初に、１本のフィラメント１を準備する。このフィラメント１として、例えばナイロン製の細糸（好ましくは、直径０．１６５ｍｍのテグス１号）を用い、このフィラメント１に、後述する所定間隔でループと結び目とを順次形成する。使用するフィラメント１は露見しないようなるべく細い糸を用い、頭髪或いは頭皮と同色系の黒色、乳白色、肌色等に着色されたものが好適である。
図１に示すように、１本のフィラメント１の基端側（すなわち、符号１ａで示す一方側）と下手側（すなわち、符号１ｂで示す他方側）とを把持して、これらを交差させて第１の輪１１を作り、図２に示すように他方側１ｂを輪の中に挿入して第１の緩い結び目１２とした後、図３に示すように、引き出したフィラメント１の他方側１ｂを、ループ形成用の支持ピン２２に巻回する。
【００１０】
この支持ピン２２は、図１１に示すように、基台２１上に一定の間隔を隔てて複数本が直線状に立設され、本発明の増毛部材１０のループを形成するための治具２０を構成している。これらの支持ピン２２は本実施例では直径約１ｍｍで、それぞれ約１ｃｍの間隔をおいて所定数設けられている。
【００１１】
この治具２０の支持ピン２２を用い、１本のフィラメント１の他方側１ｂをこの支持ピン２２に巻回して、上記第１の緩い結び目１２内に他方側１ｂを挿入し（図４参照）、この他方側１ｂを強く引っ張って該第１の緩い結び目１２を支持ピン２２側へ収束することにより、図５に示すように第１の固い結び目１３が形成される。これにより、支持ピン２２に巻回された状態で自毛固着用のループ１４が形成されることになる。従って、このループ１４は支持ピン２２の直径と同径の大きさに形成される。
このようにして第１の固い結び目１３を形成すれば、この結び目１３が緩むようなことは殆ど回避され、またループ１４が収束することもないので、本発明の増毛部材１０として十分な使用に耐え得るものであるが、好ましくは結び目をより強固にするために、本発明実施例ではさらに以下の手順を付加している。
【００１２】
即ち、図６に示すように、フィラメント１の他方側１ｂを一方側１ａに巻いて第２の輪１５を作り、この第２の輪１５に他方側１ｂを差し入れてさらに２巻き１６に巻回する（図７参照）。そして、この他方側１ｂを引っ張ることにより、図８に示すように第２の輪１５は支持ピン２２側へ収束して第２の固い結び目１７が形成される。
【００１３】
次に、第２番目の支持ピン２２を用いて第２のループ１４及び結び目１７を形成していく。この場合、図１乃至図８で示し且つ説明した作業を繰り返すことになるが、先ずフィラメント１の上記他方側１ｂよりさらに下手側１ｃ（図８に示す。）を該他方側１ｂに巻いて第１の緩い結び目１２を作った後（図２参照）、第２の支持ピン２２にフィラメント１の上記下手側１ｃを巻回して（図３参照）第１の緩い結び目１２に挿入し（図４参照）、さらにこれを収束することにより第１の固い結び目１３を形成すると共に、ループ１４が形成され（図５参照）、以下、図６〜図８の手順により、フィラメンメト１の上記下手側１ｃを用いて最終的に第２の固い結び目１７を形成する。
【００１４】
このようにして、順次、３番目〜ｎ個の支持ピン２２を用いて、フィラメント１に所定数ｎ個のループ１４と結び目１７を形成した後、ループ形成用治具２０の各支持ピン２２からフィラメント１の各ループ１４を抜き取ると、図９に示すように結び目１７を有するｎ個のループ１４付きのフィラメント１が作製されることになる。
このループ１４は、フィラメント１の両端を強く引っ張っても収束することはなく、結び目１７も緩むことはない。
ここで、もし、図２に示すような所謂ひと結びと呼ばれている結び方を２回繰り返すことによりループを形成した場合では、フィラメントの両端を強く引っ張るとループの径は次第に収束して潰れてしまうことになり、本発明では適用できない。従って、少なくとも図１〜図５に示すようにして第１の固い結び目１３を形成することが、ループ１４を収縮させないために必須である。
【００１５】
尚、上記した実施例のような表面が平滑なナイロン糸等に代えて、予め表面加工を施した粗面のフィラメントを用いれば、結び目の緩みが一層生じ難く好適である。
【００１６】
図１０は図９に示すループ付きフィラメントに増毛用毛髪２を取り付けることによって作製した、本発明に係る増毛部材１０の一例を示したものである。
フィラメント１への増毛用毛髪２の取付けは、フィラメント１にループ１４と結び目１３，１７とを形成した後に行うが、該ループ１４及び結び目１３，１７の形成に用いた治具２０を利用して増毛用毛髪の取付作業を行うことができる。すなわち、ループ１４及び結び目１３，１７を形成後、続いてこのフィラメント１を治具２０に係着したままで増毛用毛髪の取付作業を行い、完了後治具２０から取り外すことにより、完成した増毛部材１０を得ることができる。またはこれに代えて、ループ１４と結び目１３，１７とを形成したフィラメント１を、この治具２０から取り外した後、専用の植毛具を用いてこのフィラメント１への増毛用毛髪２の取付作業を行ってもよい。
【００１７】
上述のようにして作製された増毛部材１０には、１本のフィラメントに例えば直径約１ｍｍのループ１４がそれぞれ約１ｃｍの間隔を隔てて直線状に適宜の個数配置されると共に、フィラメントの隣り合うループ１４，１４の間に例えば約６０本の増毛用毛髪２が取り付けられる。この増毛用毛髪２は通常、使用者の自毛と同色に着色した人工毛或いは天然毛髪が用いられる。ファッション性を意図した増毛の場合は、金，銀，緑等適宜の色彩の増毛用毛髪２をフィラメントに取り付け得ることは言うまでもない。
【００１８】
図１０に示すように、増毛用毛髪２はループを有するフィラメント１の配設方向に対して垂直方向にみの毛状に整列して取り付けられていると共に、フィラメント１に対して僅かに緩く縛り付けられ、回動可能となっている。
【００１９】
次に、図１２を用いて、本発明に係るループ状止着部を有する増毛部材１０の作用を説明する。
図１２は本発明に係る増毛部材１０を頭部４に取り付けた状態を示す図であり、増毛部材１０の止着部を構成するループ部１４はその近傍に生えている複数本の自毛３により結び付けられている。さらに、この実施例では、フィラメント１に取り付けた増毛用毛髪２と同様の毛髪２がこのループ１４にもピンポイント状に取り付けられ、これによりループ部１４が視認されるのが防止される。また、所望により結び目１７にも増毛用毛髪２を取り付け得るのは勿論である。
ここで、フィラメント１として伸縮性を有する細糸を用いれば、ブラッシングなどによる負荷がかかっても、ループ１４が伸長することにより、ループ１４に結び付けた自毛３の切れを防ぐことができる。また、増毛用毛髪２をフィラメント１に対して垂直方向に回動可能に取り付ければ、ブラッシングにより容易に毛髪２を立たせることができ、自毛３とのブレンドが簡単に行える。
【００２０】
【発明の効果】
以上述べたように、本発明によれば、増毛部材の頭部への固定が簡単な作業で確実に行うことができ、毛分かれ等を防ぐことにより外部から視認され難いという優れた効果を有する。また、本発明の増毛部材の作製方法によれば、１本のフィラメントを用い、このフィラメントにより自毛固定用のループと結び目とが連続して、一体的にしかも簡単に形成されることができ、形成されたこれらループや結び目が緩んだり収縮したりすることがなく、違和感なく頭部への固着作業を行うことができる。
【図面の簡単な説明】
【図１】本発明に係る増毛部材のループ部の作成手順を示す図であり、第１の輪の形成段階の斜視図である。
【図２】本発明に係る増毛部材の第１の緩い結び目を形成する段階を示す図である。
【図３】本発明に係る増毛部材のループ形成の第１段階を示す図である。
【図４】本発明に係る増毛部材のループ形成の第２段階を示す図である。
【図５】本発明に係る増毛部材の第１の固い結び目を形成する段階を示す図である。
【図６】本発明に係る増毛部材の第２の輪を形成する手順を示す図である。
【図７】本発明に係る増毛部材の第２の輪への巻回手順を示す図である。
【図８】本発明に係る増毛部材の第２の固い結び目を形成する段階を示す図である。
【図９】本発明に係る増毛部材のループ及び結び目を形成した状態の斜視図である。
【図１０】本発明により完成した増毛部材の斜視図である。
【図１１】本発明に係る増毛部材の作製用治具を示す斜視図である。
【図１２】本発明に係る増毛部材を自毛へ固着した状態を示す斜視図である。
【図１３】従来の増毛部材を示す斜視図である。
【図１４】従来の増毛部材の一部拡大図である。
【図１５】従来の他の増毛部材を示す図である。
【符号の説明】
１    フィラメント
１ａ  フィラメントの一方側
１ｂ  フィラメントの他方側
１ｃ  フィラメントの下手側
２    増毛用毛髪
３    自毛
４    頭部
６    頭皮
１０    増毛部材
１１    第１の輪
１２    第１の緩い結び目
１３    第１の固い結び目
１４    ループ
１５    第２の輪
１７    第２の固い結び目
２０    治具
２１    基台
２２    支持ピン
【図１】
0003915081.tif 000002
【図２】
0003915081.tif 000003
【図３】
0003915081.tif 000004
【図４】
0003915081.tif 000005
【図５】
0003915081.tif 000006
【図６】
0003915081.tif 000007
【図７】
0003915081.tif 000008
【図８】
0003915081.tif 000009
【図９】
0003915081.tif 000010
【図１０】
0003915081.tif 000011
【図１１】
0003915081.tif 000012
【図１２】
0003915081.tif 000013
【図１３】
0003915081.tif 000014
【図１４】
0003915081.tif 000015
【図１５】
0003915081.tif 000016